(57)【要約】【課題】  放電電極を囲み被帯電体側に開口部を有する筐体と開口部を開閉するシャッタを備えたコロナ帯電器において、シャッタの端部から落下した放電生成物が感光体に付着して吸湿することによって「画像流れ」と呼ばれる画像不良が発生してしまう。【解決手段】  放電電極と、放電電極を挟むように設けられたシールドを有し、被帯電体側に開口部を有するコロナ帯電器を有する帯電装置において、開口部をシート状シャッタで帯電器の長手方向に沿って開閉し、シート状シャッタは短手方向において中央部が両端部よりもシャッタの厚さ方向における放電電極に近い表面から裏面に向かう方向に突出するように癖付け処理がなされている。【選択図】  図７
2015028615.tif 000002
【特許請求の範囲】
【請求項１】
感光体を帯電する帯電装置であって、
電圧を印加されることで放電を行う放電電極と、前記放電電極を間に挟むように設けられたシールドと、前記放電電極よりも前記感光体の近くに設けられた開口部とを有するコロナ帯電器と、
前記開口部を開閉するために移動可能なシート状のシャッタと、
前記シャッタを閉める時に前記シャッタが移動する方向における下流側の前記シャッタの先端部に固定された固定部材と、
前記固定部材を保持して前記シャッタを前記コロナ帯電器の長手方向に沿って移動させる移動機構と、を備え、
前記シャッタは、前記シャッタの短手方向における中央部が両端部よりも前記シャッタの厚さ方向における前記放電電極に近い表面から遠い裏面に向かう方向に突出するように、前記シャッタの長手方向における少なくとも前記固定部材が固定された前記先端部以外の部分が癖付けされていることを特徴とする帯電装置。
【請求項２】
前記移動機構は前記固定部材を保持して前記コロナ帯電器の長手方向に沿って移動可能な移動部材を備え、
前記固定部材は前記シャッタの前記先端部の形状を前記シャッタの短手方向における両端部よりも中央部が前記シャッタの厚さ方向における前記裏面から前記表面に向かう方向に突出するように規制することを特徴とする請求項１に記載の帯電装置。
【請求項３】
前記シャッタが開く時に前記シャッタを巻き取る巻取り機構を更に備え、
前記巻取り機構は前記シャッタを閉めた時に前記表面が内側となるように前記シャッタを巻き取ることを特徴とする請求項１に記載の帯電装置。
【請求項４】
前記巻取り機構は前記シャッタを巻き取る巻取り軸を備え、前記巻取り軸の回転軸線方向における前記シャッタが巻き取られる領域の両端部の外径が中央部の外径よりも小さいことを特徴とする請求項３に記載の帯電装置。
【請求項５】
前記放電電極は前記コロナ帯電器の長手方向に沿って張架され、
前記複数のシールドは前記放電電極の長手方向に沿って互いに対向する第１のシールド部と第２のシールド部を備え、
前記放電電極の長手方向と直交する面における前記第１のシールド部の前記感光体に近い方の端部は前記第２のシールド部の前記感光体に近い方の端部よりも前記感光体から遠い位置に位置し、前記シャッタは前記シャッタの短手方向における前記第１のシールド部に近い方の端部が前記第２のシールド部に近い方の端部よりも前記シャッタの厚さ方向における前記裏面から前記表面に向かう方向に突出するように癖付けされていることを特徴とする請求項１に記載の帯電装置。
【請求項６】
前記シャッタを閉めた時に、前記シャッタの長手方向の一部が前記シールドの長手方向における前記開口部が設けられた領域内で前記シールドに接触するように前記シャッタが癖付けされていることを特徴とする請求項１に記載の帯電装置。
【請求項７】
前記シャッタにおける前記固定部材が固定された前記先端部が、前記シャッタの短手方向における中央部が両端部よりも前記シャッタの厚さ方向における前記表面から前記裏面に向かう方向に突出するように癖付けされていることを特徴とする請求項１に記載の帯電装置。
【請求項８】
感光体を帯電する帯電装置であって、
電圧を印加されることで放電を行う放電電極と、前記放電電極を間に挟むように設けられた複数のシールドと、前記放電電極よりも前記感光体の近くに設けられた開口部とを有するコロナ帯電器と、
前記開口部を開閉するために移動可能なシャッタと、
前記シャッタを閉める時に移動する方向における下流側の前記シャッタの先端部に固定された板状の固定部材と、
前記固定部材を保持して前記シャッタを前記コロナ帯電器の長手方向に沿って移動させる移動機構と、を有し、
前記シャッタは短手方向の中央部が両端部よりも突出するように癖付けされたシート状の部材であり、前記シャッタは癖付けによって突出した短手方向の中央部が前記シャッタを閉めた時に前記シャッタの前記放電電極に近い表面から遠い裏面に向かう方向に突出する向きで前記コロナ帯電器に取り付けられており、前記固定部材は前記シャッタの前記先端部の形状を前記シャッタの短手方向における両端部よりも中央部が前記シャッタの厚さ方向における前記裏面から前記表面に向かう方向に突出するように規制することを特徴とする帯電装置。
【請求項９】
前記シャッタが開く時に前記シャッタを巻き取る巻取り機構を更に備え、
前記巻取り機構は前記シャッタを閉めた時に前記表面が内側となるように前記シャッタを巻き取ることを特徴とする請求項８に記載の帯電装置。
【請求項１０】
前記巻取り機構は前記シャッタを巻き取る巻取り軸を備え、前記巻取り軸の回転軸線方向における前記シャッタが巻き取られる領域の両端部の外径が中央部の外径よりも小さいことを特徴とする請求項９に記載の帯電装置。
【請求項１１】
前記放電電極は前記コロナ帯電器の長手方向に沿って張架され、
前記複数のシールドは前記放電電極の長手方向に沿って互いに対向する第１のシールド部と第２のシールド部を備え、
前記放電電極の長手方向と直交する面における前記第１のシールド部の前記感光体に近い方の端部は前記第２のシールド部の前記感光体に近い方の端部よりも前記感光体から遠い位置に位置し、前記シャッタの短手方向における前記第１のシールド部に近い方の端部が前記第２のシールド部に近い方の端部よりも前記シャッタの厚さ方向における前記裏面から前記表面に向かう方向に突出するように癖付けされていることを特徴とする請求項８に記載の帯電装置。
【請求項１２】
前記シャッタを閉めた時に、前記シャッタの長手方向の一部が前記シールドの長手方向における前記開口部が設けられた領域内で前記シールドに接触するように前記シャッタが癖付けされていることを特徴とする請求項８に記載の帯電装置。
【請求項１３】
感光体を帯電する帯電装置であって、
電圧を印加されることで放電を行う放電電極と、前記放電電極を間に挟むように設けられた複数のシールドと、前記放電電極よりも前記感光体の近くに設けられた開口部とを有するコロナ帯電器と、
前記開口部を開閉するために移動可能なシート状のシャッタと、
前記シャッタを前記コロナ帯電器の長手方向に沿って移動させる移動機構と、を有し、
前記コロナ帯電器は前記シャッタを閉めた状態で前記シャッタの短手方向における中央部が両端部よりも前記シャッタの厚さ方向における前記放電電極に近い表面から遠い裏面に向かう方向に突出した形状となるように規制する規制部を更に有することを特徴とする帯電装置。
【発明の詳細な説明】
【技術分野】
【０００１】
本発明は、複写機、プリンタ、ファクシミリ、及びこれらの機能を複数備えた複合機等の電子写真プロセスを利用した画像形成装置に用いられる帯電装置に関する。
【背景技術】
【０００２】
電子写真方式の画像形成装置において、被帯電体である感光体を帯電装置としてのコロナ帯電器で帯電する帯電方式が知られている。とりわけ、感光体の帯電電位を安定させるためにグリッド電極を備えるスコロトロンと呼ばれるコロナ帯電器が知られている。このような構成において、感光体を効率よく一様に帯電させるために、コロナ帯電器のグリッド電極を感光体に近接させて配置することが知られている。
【０００３】
また、コロナ帯電器内の構成としては、放電電極の両側に配置されたシールドを含み被帯電体である感光体側に開口部を有する筐体で放電電極の周囲を囲んでいる構成が一般的であり、コロナ帯電器のシールド間の領域に対向する感光体の表面が、筐体に設けられた開口部を介したコロナ放電によって帯電することが知られている。
【０００４】
一方、空気中でコロナ放電が生じるとオゾンＯ３や窒素酸化物ＮＯＸなどの放電生成物が発生することが知られており、この放電生成物が感光体に付着して更に吸湿すると、放電生成物が付着した部位の表面抵抗が低下してしまい、画像情報に応じた静電潜像を忠実に形成できないいわゆる「画像流れ」と呼ばれる画像不良を引き起こす原因となる。
【０００５】
そこで、特許文献１にはコロナ帯電器における筐体の感光体側に設けられた開口部と感光体との間を帯電器の長手方向に開閉移動するシャッタによって遮蔽する構成が開示されている。具体的には、シート状のシャッタの閉方向先端部を支持するキャリッジをコロナ帯電器の長手方向に移動させ、非画像形成時に開口部と感光体との間を遮蔽することによって放電生成物が感光体に付着することを抑制している。また、特許文献１にはシャッタの形状を感光体の周方向において中央部が両端部よりも筐体側へ突出するように規制することが開示されている。
【先行技術文献】
【特許文献】
【０００６】
【特許文献１】特開２０１０−１４５８４０号公報
【発明の概要】
【発明が解決しようとする課題】
【０００７】
しかし、特許文献１に記載されているコロナ帯電器では、シャッタによって開口部と感光体との間を遮蔽した場合においても、シャッタの形状が感光体の周方向において中央部が両端部よりも筐体側へ突出するように規制されているため、感光体の周方向におけるシャッタの端部近傍における筐体側の面上に付着している放電生成物が感光体上に落下する場合がある。
【０００８】
その場合、シャッタの端部から落下した放電生成物が感光体に付着して吸湿することによって「画像流れ」と呼ばれる画像不良が発生してしまう。
【課題を解決するための手段】
【０００９】
そこで、第１の本発明に関る帯電器は「感光体を帯電する帯電装置であって、電圧を印加されることで放電を行う放電電極と、前記放電電極を間に挟むように設けられたシールドと、前記放電電極よりも前記感光体の近くに設けられた開口部とを有するコロナ帯電器と、前記開口部を開閉するために移動可能なシート状のシャッタと、前記シャッタを閉める時に前記シャッタが移動する方向における下流側の前記シャッタの先端部に固定された固定部材と、前記固定部材を保持して前記シャッタを前記コロナ帯電器の長手方向に沿って移動させる移動機構と、を備え、前記シャッタは、前記シャッタの短手方向における中央部が両端部よりも前記シャッタの厚さ方向における前記放電電極に近い表面から遠い裏面に向かう方向に突出するように、前記シャッタの長手方向における少なくとも前記固定部材が固定された前記先端部以外の部分が癖付けされている」ことを特徴とするものである。
【００１０】
また、第２の本発明に関る帯電器は「感光体を帯電する帯電装置であって、電圧を印加されることで放電を行う放電電極と、前記放電電極を間に挟むように設けられた複数のシールドと、前記放電電極よりも前記感光体の近くに設けられた開口部とを有するコロナ帯電器と、前記開口部を開閉するために移動可能なシート状のシャッタと、前記シャッタを前記コロナ帯電器の長手方向に沿って移動させる移動機構と、を有し、前記コロナ帯電器は前記シャッタを閉めた状態で前記シャッタの短手方向における中央部が両端部よりも前記シャッタの厚さ方向における前記放電電極に近い表面から遠い裏面に向かう方向に突出した形状となるように規制する規制部を更に有する」ことを特徴とするものである。
【発明の効果】
【００１１】
本発明によれば、シャッタの端部から被帯電体の表面に放電生成物が落下することを抑制することによって画像流れが発生することを抑制することができる。
【図面の簡単な説明】
【００１２】
【図１】画像形成装置の概略断面図。
【図２】実施例に係るコロナ帯電器の外観を示す斜視図。
【図３】実施例に係るコロナ帯電器のシャッタ収納部近傍の拡大図その１。
【図４】実施例に係るコロナ帯電器の断面概略を説明するための図その１。
【図５】実施例に係るエッチンググリッドの形状を説明するための図。
【図６】実施例に係るコロナ帯電器のシャッタ開閉動作時の側面図。
【図７】実施例に係るコロナ帯電器の断面概略を説明するための図その２。
【図８】実施例に係るコロナ帯電器のシャッタ収納部近傍の拡大図その２。
【図９】実施例に係るコロナ帯電器のシャッタ開閉制御を説明するための図。
【図１０】実施例に係るコロナ帯電器の断面概略を説明するための図その３。
【図１１】実施例に係るコロナ帯電器の断面概略を説明するための図その４。
【図１２】実施例に係るコロナ帯電器の断面概略を説明するための図その５。
【図１３】実施例に係るコロナ帯電器の断面概略を説明するための図その６。
【発明を実施するための形態】
【００１３】
以下、画像形成装置の概略構成を説明した後、帯電装置について図面を用いて詳しく説明する。なお、構成部品の寸法、材質、形状、及びその相対位置等は、特に特定的な記載がない限りは、この技術思想の適応範囲をそれらのみに限定する趣旨のものではない。
【実施例１】
【００１４】
まず、画像形成装置の概略構成について簡単に説明した後、本実施例の帯電器（コロナ帯電器）について詳しく説明する。
【００１５】
§１．｛画像形成装置の概略について｝
以下に、プリンタ１００の画像形成に関わる部位（画像形成部）について簡単に説明する。
【００１６】
■（画像形成装置全体の概略構成について）
図１の（ａ）は画像形成装置としてのプリンタ１００の概略構成を説明するための図である。画像形成装置としてのプリンタ１００は第１から第４のステーションＳ（Ｂｋ〜Ｙ）を備え、それぞれの感光ドラム上に異なるトナーで画像を形成する。図１の（ｂ）は画像形成部としてのステーションを拡大した詳細図である。各ステーションは、感光ドラム上に形成された静電像を現像するトナーの種類（分光特性）を除き略同一であるため、第１のステーション（Ｙ）を代表して説明する。
【００１７】
画像形成部としての最も上流側に位置するステーションＳ（Ｙ）は被帯電体である感光体としての感光ドラム１（感光体）と、感光ドラム１を帯電する帯電器としてのコロナ帯電器２を備える。感光ドラム１はコロナ帯電器２により帯電された後、露光器としてのレーザスキャナ３からの露光Ｌにより感光ドラム上に静電像が形成される。感光ドラム１上（感光体上）に形成された静電像は現像器としての現像装置４に収容されるイエロートナーにより現像されてトナー像が形成される。感光ドラム１上に現像されたトナー像は転写器としての転写ローラ５により転写媒体である中間転写体としての中間転写ベルトＩＴＢへと転写される。中間転写ベルトへと転写されずに感光ドラム１上に付着した転写残トナーはクリーニングブレードを備える清掃装置６により清掃除去される。なお、感光ドラム１上（感光体上）にトナー像を形成するために関与するコロナ帯電器、露光器、現像器を画像形成部と呼ぶ。なお、コロナ帯電器２（帯電器）については後に詳述する。
【００１８】
このように、各ステーションが備える感光ドラム１から、イエロー（Ｙ）、マゼンタ（Ｍ）、シアン（Ｃ）、ブラック（Ｂｋ）の順に転写されたトナー像は中間転写ベルト上に重ねられる。そして、重ねられたトナー像は２次転写部ＳＴにおいてカセットＣから搬送された記録材へ転写される。２次転写部ＳＴにおいて記録材へと転写されずに中間転写ベルト上に残留したトナーは不図示のベルトクリーナにより清掃される。
【００１９】
記録材上に転写されたトナー像はトナーと接触して加熱溶融させて記録材へ加熱定着する定着装置Ｆにより記録材へと定着され、画像が定着された記録材は機外へと排出される。以上が画像形成装置全体の概略構成である。
【００２０】
§２．｛コロナ帯電器の概略構成について｝
コロナ帯電器の概略構成について説明した後、シャッタの開閉動作とグリッド電極表面を清掃するグリッド清掃部材による清掃動作について簡単に説明する。
【００２１】
■（コロナ帯電器の概略構成）
図２は帯電装置を構成する帯電器としてのコロナ帯電器２の感光ドラム側（感光体側）からの概略斜視図、図３は本実施例のコロナ帯電器におけるシート状シャッタの巻取り手段としてのシャッタ収納部の近傍を拡大した図である。コロナ帯電器２はグリッド電極２０６とグリッド電極を清掃するグリッド清掃ブラシ２５０を備えると共に、コロナ帯電器における放電電極を囲む筐体の感光ドラム側（被帯電体側）に設けられた帯電器の長手方向に沿って開閉移動可能であり、開閉移動することにより開口部を遮蔽可能なシート状シャッタ２１０を備える。
【００２２】
コロナ帯電器２は、前ブロック２０１、奥ブロック２０２、シールド２０３、２０４から構成される筐体を備える。また、図２ではシールドとブロックに囲まれ不図示となっているが、後述する図４以降で説明する放電電極である放電ワイヤ２０５が、前ブロック２０１と奥ブロック２０２の間に張架された状態で筐体に囲まれている。放電ワイヤは、図２では不図示の高圧電源Ｓにより電圧（帯電バイアス）が印加されると、放電して被帯電体としての感光ドラム１（感光体）の表面を帯電する。なお、シールドの内側に張架される放電電極は円断面形状でもノコギリ歯のような形状であっても良く、ワイヤに限らず板状の電極でも良い。
【００２３】
放電電極として、ステンレススチール、ニッケル、モリブデン、タングステンなどを用いるのがよい。本実施例においては、金属の中で非常に安定性の高いタングステンを帯電ワイヤ２０５として使用した。また、放電ワイヤの直径を４０μｍ〜１００μｍにすることが好ましい。帯電ワイヤの直径が小さすぎると放電によるイオンの衝突で切断してしまう。逆に、帯電ワイヤの直径が大きすぎると安定したコロナ放電を得るために、帯電ワイヤ２０５に印加する電圧が高くなってしまう。印加電圧が高いと、オゾンが発生しやすく、更に、電源コストが上昇してしまう等の問題が生じる。
【００２４】
本実施例においては、放電電極としての放電ワイヤ２０５の直径は６０μｍのタングステンワイヤとし、感光ドラムの回転軸線と平行に配置した。材質として、腐食しにくいタングステンを使用する事により、腐食によりワイヤ自身が分解して粉塵となる恐れや、腐食によりワイヤ表面の表面粗さが大きくなり、放電ワイヤに異物が付着する事を抑制する事が出来る。
【００２５】
図４（ａ）、（ｂ）に比較例として帯電器の短手方向の断面図の一例を示す。図４（ａ）は、後述するシート状シャッタ２１０が開いた状態を示し、図４（ｂ）は、シート状シャッタ２１０が閉まった状態を示す。図４（ａ）を用いて、帯電器の断面構成を説明する。コロナ帯電器２の短手の断面構成として、放電ワイヤ２０５の両側に互いに対向する第１のシールド部としてのシールド２０３、第２のシールド部としてのシールド２０４を備える。シールドの材質としては、ステンレス鋼を用いた。シールドは、放電ワイヤ２０５から発生する放電生成物の影響を受けるため、腐食しにくい材質を用いる事が望ましい。
【００２６】
第１のシールド部としてのシールド２０３は、第２のシールド部としてのシールド２０４に対して感光体の画像形成時の回転方向の下流に位置する。本実施例では、シールド２０３は、帯電器の長手方向に直交する方向の断面における長さが１８ｍｍであり、シールド２０３と感光ドラム１との距離Ｌ１は９．０ｍｍである。シールド２０４は、帯電器の短手方向断面における長さが２４ｍｍであり、シールド２０４と感光体１との距離Ｌ２は４．０ｍｍである。筐体の開口部の短手方向の幅であるシールド２０３とシールド２０４の間隔は３４．０ｍｍである。グリッド電極２０６は、感光ドラム１から１．５ｍｍに位置する。後述するシート状シャッタ２１０は、グリッド電極２０６と感光ドラム１との間を通過する。シート状シャッタ２１０は、前奥ブロック２０１、２０２とシールド２０２、２０３から構成される筐体で囲まれた帯電器の開口部の短手方向および長手方向をほぼ全域覆っている。シールド２０３、２０４、グリッド電極２０６、感光ドラム１と、シート状シャッタ２１０の図４（ｂ）を用いた断面の詳細説明は後述する。
【００２７】
■（グリッド電極について）
コロナ帯電器２はシールド２０３、２０４を含む筐体により形成される開口部における放電ワイヤよりも感光ドラム側に平板形状のグリッド電極２０６を備える。このグリッド電極２０６は放電ワイヤ２０５と感光ドラム１の間に配置され、帯電バイアスが印加されることにより感光体へ向けて流れる電流量を制御する。
【００２８】
ここで、本実施例ではグリッド電極として薄い金属平板（薄板）にエッチング処理を施したいわゆるエッチンググリッドを用いている。エッチンググリッドは、図３に示すように、グリッド電極長手方向の両端部に梁部があり、梁部の間に斜めに貫通孔（網目）が配列された形状である。
【００２９】
エッチングする平板状のグリッド電極２０６の基材はオーステナイト系ステンレス鋼（ＳＵＳ３０４）からなる厚さ約０．０３ｍｍの薄板上の板金にエッチング加工によって多数の貫通孔（メッシュ）が形成されたメッシュ部（網目部）が形成されたものを使用した。また、基材となるＳＵＳ上にコロナ放電によって発生する放電生成物に対して化学的に不活性度が高い材料であるテトラヘデラルアモルファスカーボン（Ｔｅｔｒａｈｅｄｒａｌ  Ａｍｏｒｐｈｏｕｓ  Ｃａｒｂｏｎ：以下、ｔａ−Ｃと称す）からなる表面層を形成した。以下、ｔａ−Ｃからなる表面層をｔａ−Ｃ層と称す。グリッド電極の基材表面に形成するｔａ−Ｃ層はメッシュ部の表裏の平板面だけでなく、メッシュ部における貫通孔のヘリにも形成されている。
【００３０】
グリッド電極の表面にｔａ−Ｃ層を形成する事により、腐食に強いだけでなく、離型性が高くなり、グリッド電極の表面に異物が付着し難くなる。特に、放電ワイヤ側の平板面だけでなく、メッシュ部における貫通孔のヘリにも異物が付着し難くなるというメリットがある。
【００３１】
尚、本実施例では上記で示した基材に限定されるわけではなく他のオーステナイト系ステンレス鋼、マルテンサイト系ステンレス鋼、あるいは、フェライト系ステンレス鋼等を基材として使用しても良い。本実施例において表面層に用いるｔａ−Ｃとは、一般的にＤＬＣ（Ｄｉａｍｏｎｄ  Ｌｉｋｅ  Ｃａｒｂｏｎ）の一種である。ＤＬＣの構造は通常水素を若干含有したダイヤモンド結合（ｓｐ３結合）とグラファイト結合（ｓｐ２結合）とが混在した非晶質（アモルファス）構造をとる。本実施例では表面層にｔａ−Ｃを使用したが、ｔａ−Ｃ以外のＤＬＣを用いても良い。また、表面層はｔａ−ＣやＤＬＣに限られず、めっき処理を施すようにしても良い。
【００３２】
更に、図５に本実施例における感光ドラム側から見たグリッド電極の複数の貫通孔が形成されたメッシュ部のエッチングパターンを拡大した図を示す。図１１によれば、エッチングパターンは、感光ドラムの回転軸線および放電ワイヤに対して略平行な基線５００と基線と角度θをもつ斜線部５０１から形成される。基線５００により、放電ワイヤと略平行な３区画に区切られ、基線によって分けられた３区画は、斜線５０１により細かい貫通孔に区切られた形状になっている。メッシュ部に対する貫通孔の面積比が高いほど、帯電電位を均一にしやすい事を考慮し貫通孔とメッシュ部との面積比を決定すればよい。
【００３３】
この平板状のグリッド電極２０６は前ブロック２０１と奥ブロック２０２にそれぞれ配置された張架部２０７、２０９によって張架されている。前ブロック２０１に配置されている張架部２０７のつまみ２０８を操作することでグリッド電極２０６の支持が外れ、容易に着脱可能となっている（図６参照）。さらに、グリッド電極２０６は張架部２０９付近で平板の一部に曲げ形状が与えられており、多少の伸縮性を備える。そのため、グリッド電極がコロナ帯電器に張架された状態でも、外力を受けるとある程度移動することができる。
【００３４】
■（清掃部材について）
図６（ａ）〜（ｃ）に本実施例における帯電器の断面構成を示す。図６によれば、放電ワイヤ２０５を清掃する清掃パット２１６を備える。また、グリッド電極２０６を清掃する清掃部材としての清掃ブラシ２５０を備える。
【００３５】
図６のように、清掃パット２１６と清掃ブラシ２５０は駆動モータ２１８の駆動を受けて回転する駆動スクリュ２１７によって、コロナ帯電器の長手方向に移動する。移動時は、グリッド電極２０６を清掃する清掃ブラシ１４はグリッド電極２０６の放電ワイヤ側の面と接触してグリッド電極を清掃する。
【００３６】
本実施例では、放電電極清掃部材としての清掃パッド２１６は難燃性のＣＲゴム製の硬度３０±５°のスポンジを用い、放電ワイヤ２０５を両側から挟むように配置した。また、清掃ブラシを保持する清掃ブラシホルダー２１３の材質としてはＡＢＳ樹脂を用いたがＰＣなどの樹脂でもよい。グリッド清掃部材２５０としての清掃ブラシは、アクリル系ブラシを難燃化処理し、基布に織り込んだものを使用した。具体的には、清掃ブラシ２５０は、太さ９デシテックスのアクリル製のパイルを７００００本／インチの密度で織り込んだものを用いており、グリッド電極清掃時における板状グリッド電極への侵入量は、０．７〜１．０ｍｍとなるような長さとした。
【００３７】
上述の侵入量とパイル形状にすることにより、図５に示したエッチンググリッドのパターン寸法にすることにより、基線と斜線により細かく分けられた貫通孔の中に複数の清掃ブラシのパイル先端など一部が入り込む。複数の清掃ブラシパイルがグリッドに付着した異物に連続して複数接触する事により、グリッド上の異物除去能力を高めている。また、パイルの一部が貫通孔内に入り込むことにより、グリッド電極の放電ワイヤ側の平面部だけでなく、貫通孔のヘリに付着した異物を清掃する能力も高くなる。
【００３８】
しかし、貫通孔形状とブラシの侵入量によっては、グリッド電極の貫通孔にパイルの一部が入り込まず、グリッド表面をパイルがなでるだけになってしまい高い清掃能力が望めない。よって、清掃部材としてブラシを用いる場合は、グリッドの貫通孔内に清掃ブラシが入り込む侵入量に設定するのが好ましい。少なくとも侵入量をゼロより大きくする必要がある。
【００３９】
なお、清掃パッドとしてスポンジのみではなく、接触する当接面にアルミナなどの研磨粒子を塗布したシートを当接させてもよい。清掃ブラシの材料としては、ナイロン、ＰＶＣ（ポリ塩化ビニル）、ＰＰＳ（ポリフェニレンサルファイド樹脂）等を用いてもよい。また、植毛系に限らず、フェルト、スポンジのようなパット（弾性体）や、アルミナ、炭化珪素などの研磨剤を塗布したシートを使用しても良い。
【００４０】
■（シャッタまわりの断面構成について）
続いて、図４（ｂ）を用いてシャッタまわりの断面構成について説明する。
【００４１】
コロナ帯電器２は、筐体の感光ドラム側に設けられた開口部（長手方向の幅約３７０ｍｍ、短手方向の幅３４ｍｍ）の全域を遮蔽するシート状シャッタ２１０を備える。シート状シャッタ２１０はグリッド電極２０６と感光ドラム１の間の隙間を帯電器の長手方向に沿って移動して開口部を開閉する。
【００４２】
図４（ｂ）にシート状シャッタ２１０が閉まった時の帯電器の短手方向断面図を示す。図４（ｂ）を用いてシート状シャッタ２１０を含む短手方向の断面説明をする。シート状シャッタ２１０は、グリッド電極２０６と感光ドラム１の間に位置する。図４（ａ）で説明したように、シールド２０３、シールド２０４と感光ドラム１との距離Ｌ１、Ｌ２は異なり、シールド２０３と感光ドラム１との空隙距離Ｌ１の方がシールド２０４と感光ドラム１との空隙距離Ｌ２よりも大きくなっている。これは、図４（ｂ）の矢印で示した経路で空気を循環させることによって放電生成物や飛散トナーを帯電器内から除去するためである。エアフローと呼ばれるこの空気の循環は、図１に示したファン２００を介して外部から空気を取り入れ、画像形成装置内の各ステーションに分岐して循環している。コロナ帯電器２における筐体は、感光体と反対側にエアフローを取り入れるための開口を有しており、各ステーションに取り入れられたエアフローは、この開口から帯電器内に流入し、シールド２０３と感光体との間の空隙から帯電器外に流れ出る。帯電器から流れ出たエアフローは、感光体上のレーザスキャナによって露光を行う箇所の感光体の回転方向下流で現像箇所の上流に感光体の軸線方向に沿って配置されたダクトによって吸入され、トナーや放電生成物を除去するフィルターを介して画像形成装置外部に排出されている。
【００４３】
また、図４（ｂ）の様なシャッタの形状にした場合、感光体の周方向におけるシャッタの端部近傍における筐体側の面上に付着している放電生成物が感光体上に落下する場合がある。そこで、図７のようにシート状シャッタの短手方向における両端部が中央部よりも帯電器側に突出する形状になるようにシート状シャッタに癖付け処理を行う。言い換えれば、シャッタは、シャッタの短手方向における中央部が両端部よりもシャッタの厚さ方向における放電電極に近い表面から遠い裏面に向かう方向に突出するように癖付けされている。シート状シャッタが短手方向における両端部が中央部よりも筐体側に突出する形状に癖付けられることによって、シート状シャッタの端部から感光体上に放電生成物が落下することを抑制するここができる。また、シールド２０３と感光ドラム１との空隙距離Ｌ１の方がシールド２０４と感光ドラム１との空隙距離Ｌ２よりも大きいため、シート状シャッタの短手方向における長さについては放電電極直下からシールド２０３側の端部までの長さが放電電極直下からシールド２０４側の端部までの長さよりも長くなされており、開口部を覆うようにシート状シャッタに癖付け処理がなされている。その結果、感光ドラムの表面に付着する放電生成物の量を更に減らすことができ、画像流れの発生を抑制することができる。
【００４４】
本実施例では例えば癖付け処理を施したシート状シャッタを使用する。シート状シャッタ自体に癖付けを施す方法として、例えば熱処理加工方法を採用することができる。まず、熱処理前の平らなシート状シャッタ２１０を中空の金属ローラに密着させて固定する。そして、シート状シャッタが固定された金属ローラが所定温度（ここでは１５０℃）を維持するようにこの金属ローラをその内部から加熱源により加熱した状態でおよそ１０分間放置する。その結果、シート状シャッタに短手方向の両端部が中央部よりも突出した形状が付与される。
【００４５】
なお、シート状シャッタに短手方向の両端部が中央部よりも筐体側に突出した形状を付与する処理に関して、上述した熱処理加工方法の代わりに他の処理方法を採用しても構わない。
【００４６】
尚、シート状シャッタに対して短手方向の両端部が中央部よりも筐体側に突出した形状となるように癖付け処理が施されている事により、シート状シャッタの短手方向中央部近傍が感光ドラム１と接触する可能性が増える場合がある。しかし、感光ドラムとシート状シャッタが接触したとしても感光ドラムを傷つけないように、シート状シャッタ２１０には、柔らかい可撓性を有する厚み０．１５ｍｍのシート形状材質にレーヨン繊維を含む不織布を用いれば、感光ドラム１と接触しても問題ない。本実施例で用いたシート状シャッタ２１０の剛軟度は、１５〜２５ｋｇ／ｆのシートを使用した。剛軟度の測定は、大栄科学精器製のガーレー剛軟度試験器ＧＡＳ−１０にて測定を行っており、剛軟度が８０ｋｇ／ｆ以下であれば、感光ドラム１と接触しても問題ない。
【００４７】
■（シャッタ及びシャッタ収納部について）
次に、図３を用いてシート状シャッタとシート状シャッタを巻取り収納する構成について説明する。
【００４８】
本実施例の画像形成装置はシート状シャッタが開いた状態において、グリッド電極２０６と感光ドラム１の最近接部の距離は約１．５ｍｍと狭い。そのため、上述したように感光ドラム１とシート状シャッタが接触したとしても感光ドラムを傷つけないように、シート状シャッタ２１０には、柔らかい可撓性を有する不織布を用いた。
【００４９】
シート状シャッタ２１０は、コロナ帯電器２の長手方向の端部においてシート状シャッタを巻き取る巻取り手段としての巻取り機構２１１によりロール状に巻き取られて収納される。この巻取り機構２１１はシート状シャッタ端部を固定した巻取り軸としてのローラ２１１ａと、ローラ２１１ａを付勢する不図示のねじりコイルばねを備える。シート状シャッタ２１０はコイルバネによりシャッタを巻き取る方向（開口部の開き方向）に付勢され、これによりシート状シャッタの長手中央が垂れにくくなる。巻取り機構２１１は、巻取り機構２１１を保持する保持ケース２１４とともに前ブロック２０１に保持されている。保持ケース２１４のシャッタ引出部近傍には、シート状シャッタ２１０がグリッド電極２０６のエッジや張架部２０７とそのつまみ２０８などと当接しないようにするためガイド（案内）するガイドコロ２１５が配置されている。シート状シャッタを巻取り手段で巻き取るとき、シート状シャッタの帯電器側の面が内側となるように巻き取る構成になっている。シート状シャッタの筐体側の面が内側となるように巻き取ることによって、シート状シャッタに癖付け処理によって付けられた癖が弱まることを抑制することができる。
【００５０】
また、シート状シャッタ２１０の長手方向の他端（シャッタを閉める時にシャッタが移動する方向における下流側の先端部）は固定部材である板ばね２１２に固定されている。板ばね２１２はシート状シャッタを保持し閉方向に牽引すると共に、短手方向における両端部よりも中央部がシャッタの厚さ方向における放電電極に近い表面から遠い裏面に向かう方向に突出するアーチ形状に規制されていることによってシート状シャッタよりも硬い板ばねが感光ドラムに接触して感光ドラム１を傷つけないようにするとともに、シート状シャッタの垂れを抑制している。この場合、シート状シャッタの閉方向における下流側の先端部は上述したように板ばね２１２によって短手方向における両端部よりも中央部が筐体側に突出するアーチ形状になされているが、シート状シャッタ自体は短手方向における両端部が中央部よりも筐体側に突出するように癖付け処理がなされているため、板ばねが取り付けられているシート状シャッタの閉方向における下流側の先端部近傍以外は短手方向における両端部が中央部よりも筐体側に突出する形状となり、シャッタの端部から被帯電体の表面に放電生成物が落下することを抑制することができる。
【００５１】
さらに、シート状シャッタ２１０の先端近傍を保持する牽引部材兼固定部材としての板ばね２１２は移動機構を構成する移動部材としてのキャリッジ２１３に接続されている。なお、本実施例のシート状シャッタ２１０の厚みは０．１５ｍｍ、板ばね２１２は厚さ０．１０ｍｍの金属材料を用いた。
【００５２】
キャリッジ２１３がコロナ帯電器における感光ドラム側とは逆側に設けられた移動機構を構成するスクリュ２１７からの駆動を受けて、開口部の閉方向に移動すると、シート状シャッタ２１０は巻取り機構２１１から引き出される。また、キャリッジ２１３が開口部の開方向に移動すると、シート状シャッタ２１０は巻取り機構２１１により巻き取られて保持ケース２１４に収納される。その際、キャリッジ２１３に連結されているワイヤ清掃パッド２１６とグリッド清掃部材２５０も同時に駆動する。本実施例では、シート状シャッタ２１０とグリッド清掃部材２５０が単一のスクリュ２１７により駆動されるため、シート状シャッタ２１０とグリッド清掃部材２５０は連動して動作する。駆動源を複数設ければ、それぞれ独立に駆動する構成も考えられるが、本実施例のように連動する構成とすることによって駆動源を減らすことができる。
【００５３】
シート状シャッタに癖付け処理を行う方法として、シート状シャッタを巻き取る際にシート状シャッタに対して癖付け処理を行う構成にしても良い。
【００５４】
図８に、シート状シャッタを長手方向に巻き取る際にシート状シャッタに対して癖付け処理を行う構成にした場合の、シート状シャッタを巻き取る巻取り手段としての巻取り機構、および巻取り機構内のシャッタを巻き取る巻取り軸としてのローラ２１１ｂを示す。図８によれば、ローラ２１１ｂの巻き取り部である外周面が、ローラ２１１ａのように平坦ではなく、回転軸線方向におけるシャッタが巻き取られる領域の両端部の外径が中央部の外径よりも小さく、中央部が凸になるようなローラ形状になっており、この場合においても図３と同様にシート状シャッタの筐体側の面が内側となるように巻き取る構成になっている。ローラ２１１ｂのような巻き取り形状にする事により、シート状シャッタ２１０の形状をローラ２１１ｂの形状と同形状に癖付けすることができ、更に同形状でシート状シャッタ２１０を送り出す事が出来る。また、あらかじめ癖付けしたシート状シャッタとローラの形状を組みわせて使用しても良く、この場合、長期間癖付けされた形状を持続することができる。
【００５５】
■（シート状シャッタの開閉制御について）
続いて、コロナ帯電器２のシート状シャッタの開閉制御について簡単に説明する。図９の（ａ）は制御回路を模式的に示したブロック図、図９の（ｂ）は制御内容を説明するためのフローチャートである。
【００５６】
図９の（ａ）に示すように、制御手段としての制御回路（コントローラ）Ｃは、内部に保持されたプログラムに従い、駆動源としての開閉モータ、高圧電源、ドラムモータを制御する。また、ポジションセンサはフラグの有無を制御回路に通知する。
【００５７】
以下に、画像形成動作中のコロナ帯電器の動作についてフローチャートを用いて説明する。
【００５８】
画像形成信号を受け、制御回路Ｃはポジションセンサ２１９の出力に基づき、シート状シャッタが閉じた状態である場合、開閉モータを駆動して開口部を開くようにシート状シャッタを移動させ、シート状シャッタが開いた事をポジションセンサにより確認する（Ｓ１０１）。続いて、シート状シャッタを退避させた状態（開口部開）で、ドラムモータＭを駆動して感光ドラム１を回転させる（Ｓ１０２）。
【００５９】
また感光ドラムを帯電するために、制御回路Ｃは高圧電源Ｓから放電電極及びグリッドに対して帯電バイアスを印加するように制御する（Ｓ１０３）。
【００６０】
コロナ帯電器２によって帯電された感光ドラム１に、他の画像形成部が作用させて、シート上に画像が形成される（Ｓ１０４）。画像形成終了後、制御回路Ｃはコロナ帯電器への帯電バイアスの印加を停止させ（Ｓ１０５）、続いて感光ドラムの回転を停止させる（Ｓ１０６）。
【００６１】
感光ドラム回転停止後、制御回路Ｃは開閉モータ２１８を逆回転させてシート状シャッタで開口部を閉じる動作を実行させる（Ｓ１０７）。なお、画像形成直後にシート状シャッタ２１０の閉動作を行っても、画像形成終了から所定の時間経過後に閉動作を実行してもよい。
【００６２】
§３．｛シート状シャッタの動作について｝
以下に、図６を用いてグリッド清掃動作とシート状シャッタの開閉動作に伴うグリッド電極の位置について簡単に説明した後、グリッド電極を放電ワイヤ側に引き込む退避機構とグリッド清掃動作について詳しく説明する。
【００６３】
■（シート状シャッタの開閉動作とグリッド位置について）
移動機構を構成する移動部材としてのキャリッジ２１３は、移動機構を構成するスクリュ２１７と開閉モータ２１８によって駆動されコロナ帯電器の長手方向に移動する。キャリッジ２１３には、グリッド清掃部材２５０が取り付けられている。また、放電電極としての放電ワイヤ２０５を清掃する清掃パッド２１６をキャリッジ２１３に保持し、シート状シャッタ２１０の開閉動作と同時に放電ワイヤ２０５とグリッド電極２０６を、ワイヤ清掃パッド２１６とグリッド清掃ブラシ２５０にて、それぞれ清掃する構成を採用している。
【００６４】
ここで、コロナ帯電器２はポジションセンサ２１９と、シャッタ開位置においてポジションセンサ２１９の検知部を遮蔽する検知フラグ２２０を備える。ポジションセンサ２１９は検知部が検知フラグ２２０により遮蔽されることによりシート状シャッタ２１０が開いた位置（ホームポジション）にあると検知する。
【００６５】
図６の（ａ）はキャリッジ２１３がホームポジションにある状態におけるコロナ帯電器２の側面図である。図６の（ａ）の状態（開状態）では、グリッド電極２０６は感光ドラムと略平行に張架されている。また、グリッド電極２０６と感光ドラム１の間隔は略中央の近接部で１．０〜１．５ｍｍ程度となっている。なお、本実施例においてグリッド電極と感光ドラムが略平行とは、グリッド電極２０６の梁線とドラム状の感光体１の母線が８度以内であることを指す。
【００６６】
ここで、シート状シャッタ２１０の先端部（閉方向の下流側の一端）はシート状シャッタを牽引する固定部材としての板ばね２１２の厚み分だけ厚い。当然、組立て精度を上げて板ばね部分を感光体とグリッドの隙間（約１ｍｍ）を通すことは可能だがコストアップを招く。コロナ帯電器の組立て誤差を考慮しても、感光体に板ばねを接触させない代わりに板ばねとグリッドと摺擦させると、シャッタがグリッドと摺擦し易くなるため好ましくない。とりわけ、薄板形状のグリッドに複数の開口部を備えるエッチンググリッドを用いた場合、感光体とグリッド電極の間のギャップが狭い状態でシャッタの開閉動作を行うと、厚みのある板ばね２１２部分がグリッド電極に引っ掛かる可能性がある。
【００６７】
そこで本実施例のコロナ帯電器は、シート状シャッタにおける閉方向先端部を牽引する固定部材としての板ばね２１２がグリッド電極と接触し難くするために、キャリッジ２１３にグリッド電極２０６を放電ワイヤ側に引き込んで退避させる機構を設けている。そのため、シート状シャッタで開口部を閉める際に図６の（ｂ）に示すように、グリッド電極が退避して、板ばねやシート状シャッタがグリッド電極と摺擦することを抑制することができる。
【００６８】
グリッド電極を放電ワイヤ側に退避させることにより、グリッド清掃部材２５０とグリッド電極２０６が、所定量で接触し、グリッド清掃部材２５０によりグリッド電極上を清掃可能となる。
【００６９】
図６の（ｃ）は非画像形成時のシート状シャッタ位置（つまり、開口部閉位置）におけるコロナ帯電器２の側面図である。ここで、キャリッジ２１３に放電ワイヤを清掃する清掃パッド２１６を設けているが、清掃部材が設けられている領域以外の開口部を遮蔽しており、実質的に画像を形成する部分はシャッタで遮蔽された状態であるため画像流れの発生を十分に抑制でき、シート状シャッタで開口部を実質的に閉じていると言える。
【００７０】
さらに、図６の（ｂ）、図６の（ｃ）に示すように、グリッド電極を放電ワイヤ側へ引き込む位置は板ばね２１２とほぼ重なる位置となっている。これにより、少ないグリッド電極の移動量で板ばねのグリッド電極への引っ掛かりやシート状シャッタの摩耗を抑制することができる。また、放電ワイヤ側に引き込む位置に近接して、グリッド清掃部材２５０を配置する事により、清掃部材とグリッド電極の侵入量を精度よく保持しながら清掃動作を実施することができる。尚、上述のように、下記のグリッド電極の引き込み量におけるグリッド清掃部材２５０の侵入量は、０．７〜１．３ｍｍとなる。
【００７１】
シート状シャッタを閉じるに際してグリッド電極の長手全域をワイヤ側へ退避させてもよい。その場合には、グリッド張架部に過度の負荷が掛からないように、グリッド電極の退避に伴う変位を吸収するため、グリッド張架部を可動としつつバネ付勢する構成を採用するのが好ましい。当然、グリッド電極を退避させる部位は必要最低限にとどめることが、グリッド電極の位置精度を確保するために望ましい。
【００７２】
そのため、本実施例ではシャッタの閉じ方向下流の先端部（板ばね）の近傍において部分的（幅５．０ｍｍ）にグリッド電極を放電ワイヤ側に退避させる構成を採用した。本実施例ではグリッド電極の引込み量を１．０ｍｍとし、板ばねの位置を引込み位置近傍（引込み位置から１２．０ｍｍ以内）とした。
【実施例２】
【００７３】
実施例１では、シート状シャッタの短手方向において両端部が中央部よりも帯電器側に突出するようにシート状シャッタに癖付け処理が行われている構成を開示した。本実施例では、シート状シャッタの形状を短手方向において両端部が中央部よりも帯電器側に突出するように規制する規制部を備えた構成を有している。なお、実施例１と同一の構成については同一符号を付すことにより重複する説明は適宜省略する。
【００７４】
図１０は、シート状シャッタ２１０の閉方向先端部に設けられシート状シャッタ２１０を牽引する板ばね２１２を規制部として用いた場合における帯電器の短手方向断面図である。
【００７５】
固定部材である板ばね２１２自身の形状が短手方向において両端部が中央部よりも帯電器側に突出する形状になされており、この形状の板ばねにシート状シャッタの閉方向先端部を固定することによってシート状シャッタ２１０の形状も短手方向において両端部が中央部よりも帯電器側に突出する形状となり、シート状シャッタ２１０の形状が規制されている。
【００７６】
この場合、固定部材である板ばね２１２の短手方向中央部が感光ドラム１に接触した場合には感光ドラムに傷が付く可能性があるため、板ばね２１２の短手方向中央部が感光ドラム１に接触しない位置になるように板ばね２１２を配置する。その際、板ばねの曲率を小さくすることによって板ばねの短手方向中央部が感光ドラムに接触しない位置にしても良く、また、板ばね全体を帯電器側にシフトさせて配置しても良い。
【００７７】
本実施例においても図４（ａ）に示すようにシールド２０３と感光ドラム１との空隙距離Ｌ１の方がシールド２０４と感光ドラム１との空隙距離Ｌ２よりも大きいため、シート状シャッタの短手方向における長さについては放電電極直下からシールド２０３側の端部までの長さが放電電極直下からシールド２０４側の端部までの長さよりも長くなされており、開口部を覆うようにシート状シャッタが規制されている。その結果、感光ドラムの表面に付着する放電生成物の量を更に減らすことができ、画像流れの発生を抑制することができる。また、実施例１と同様の巻取り手段を用いても良い。また、更にシート状シャッタに対して実施例１と同様の癖付け処理を行ってもよい。
【実施例３】
【００７８】
以下に実施例３について説明する。なお、実施例１や２と同一の構成については同一符号を付すことにより重複する説明は適宜省略する。図１１は、本実施例の帯電装置である。本実施例においても規制部によってシート状シャッタの形状を規制する点は実施例２と同じであるが、規制する手法が実施例２と異なっている。図１１に示すように、帯電器の長手方向両側面のシールドに沿って筐体の長手方向に延びるレール状のガイド部材３００が設けられている。規制部としてのこのガイド部材には長手方向に沿って開口部が設けられており、シート状シャッタの短手方向における両端部がガイド部材の開口部に挿入されることによりシート状シャッタが長手方向に移動可能に保持され、シート状シャッタの短手方向における両端部がガイドされる構成になっている。この構成にすることによって、ガイド部材に保持されていないシート状シャッタの短手方向中央部が自重で下がり、ガイド部材で保持されているシート状シャッタ２１０の短手方向における両端部が中央部よりもコロナ帯電器側へ突出するように形状が規制される。
【００７９】
シート状シャッタ２１０の短手方向における両端部のみをコロナ帯電器側へ近づけるようにガイド部材３００によりガイドする事により、シート状シャッタ２１０とシールド２０３、２０４との空隙距離を近くする事が出来る。前述の図４（ｂ）のシールド２０３とシート状シャッタ２１０との距離Ｌ５は、７．５ｍｍである。本実施例における図１１のシールド２０３とシート状シャッタ２１０との距離Ｌ６は、３．５ｍｍである。端部ガイド部材によりシールドとシート状シャッタとの空隙を小さくする事により、放電生成物の漏れ出てくる量を低減する事が出来る。
【００８０】
また、図１２にガイド部材の別のガイド形態を示す。必ずしもシート状シャッタ２１０とシールド２０３、２０４との距離を小さくしなくとも、図１２のように、ガイド部材３０１により端部のみを持ち上げて覆うような形状にすることで、放電生成物による画像流れを低減する事が出来る。
【００８１】
コロナ帯電器２のシールド２０３を感光ドラム１に向かって延長線を作り、感光ドラムとシールド２０３延長線との交点を２０３Ｈとする。同様に、シールド２０４を感光ドラム１に向かって延長線を作り、感光ドラムとシールド２０４延長線との交点を２０４Ｈとする。交点２０３Ｈと交点２０４Ｈを結んだ線を基準線Ｈとする。基準線Ｈに対して、放電ワイヤ２０５側をプラス角度、感光ドラム１側をマイナス角度とした時に、シート状シャッタ２１０の各場所におけるシート状シャッタの湾曲カーブに応じた接線Ｓを求め、基準線Ｈと接線Ｓとの交わった角度を求める。
【００８２】
例えば、図１２（ｂ）において、シート状シャッタ２１０の端部に当たる位置Ａにおける接線Ｓ１と基準線Ｈとの交線角度はプラスとなる。一方、シート状シャッタ２１０の端部と中央部の間の位置Ｂにおける接線Ｓ１と基準線Ｈとの交線角度はマイナスとなる。図１２のような構成配置において、シート状シャッタのガイドする角度や位置と、放電生成物による不具合防止効果を検証した。端部ガイド部材３０１により、接線Ｓと基準線Ｈとの交線角度がプラスになるようシャッタをガイドした場合に、放電生成物による不具合防止効果が大きい事がわかった。よって、ガイド部材３００、３０１によりシート状シャッタ２１０をガイドする場合は、接線Ｓと基準線Ｈとの交線角度がプラスになるようガイドする事が必要である。
【００８３】
また、シート状シャッタをガイド部材によりガイドする効果は、放電生成物の影響を低減するだけでなく、ガイド部材３００、３０１によりシャッタ２１０の位置を決めながらガイドする。シート状シャッタ２１０の材質が柔らかく、撓って、縒れてしまうような場合も、ガイド部材を用いる事によりシート状シャッタ２１０の位置がずれることなく確実に位置を決めて動かす事が出来る。
【００８４】
尚、ガイド部材３００や端部ガイド部材３０１によりシート状シャッタをガイドする事により、シート状シャッタの短手方向中央部近傍が感光ドラム１と接触する可能性が増える場合がある。しかし、実施例１に記載したように、感光ドラムとシート状シャッタが接触したとしても感光ドラムを傷つけないように、シート状シャッタ２１０には、柔らかい可撓性を有する厚み０．１５ｍｍのシート形状材質にレーヨン繊維を含む不織布を用いれば、感光ドラム１と接触しても問題ない。
【００８５】
実施例１〜３では、シート状シャッタの短手方向端部が筐体の外側に飛び出している図を用いて説明したが、それに限らず、図１３のように筐体を構成するシールドの長手方向に沿った内側の側面に接触する形状になされていても良く、シャッタの長手方向の一部がシールドの長手方向における開口部が設けられた領域内でシールドに接触するようにしても良い。このようにシールドの長手方向に直交する断面における開口部が隙間無く塞がれることによって、放電生成物が開口部から漏れだすことを抑制することができる。
【００８６】
また、実施例１ではシャッタの長手方向全域に癖付けがなされている例を示したが、実施例１のようにシャッタの長手方向における先端部に固定部材としての板ばねが固定されている場合、シャッタに癖付けを行っていても板ばねによってシャッタ先端部の形状が規制される。そのため、シャッタ先端に板ばねが固定されている場合には、板ばねが固定されているシャッタ先端部には癖付けが行われていなくても良い。言い換えれば、シャッタはシャッタの長手方向における少なくとも固定部材が固定された先端部以外の部分が癖付けされている。
【符号の説明】
【００８７】
１００  画像形成装置
１  感光体（像担持体、被帯電体）
２  コロナ帯電器（スコロトロン）
２０３、２０４  シールド（筐体）
２０５  放電ワイヤ（放電電極）
２０６  グリッド（制御電極）
２０７、２０９  グリッド張架部（張架部）
２１０  シート状シャッタ（遮蔽部材）
２１１  巻き取り機構（巻取り手段）
２１１ａ  シャッタ巻き取りローラ（巻取り部材）例１
２１１ｂ  シャッタ巻き取りローラ（巻取り部材）例２
２１３  キャリッジ（移動部材）
２１３Ａ  テーパ部（退避機構）
２５０  清掃ブラシ（グリッド清掃部材）
３００  ガイド部材
３０１  端部ガイド部材
３０３、３０４  シャッタ突き当て部材
【図１】
2015028615.tif 000003
【図２】
2015028615.tif 000004
【図３】
2015028615.tif 000005
【図４】
2015028615.tif 000006
【図５】
2015028615.tif 000007
【図６】
2015028615.tif 000008
【図７】
2015028615.tif 000009
【図８】
2015028615.tif 000010
【図９】
2015028615.tif 000011
【図１０】
2015028615.tif 000012
【図１１】
2015028615.tif 000013
【図１２】
2015028615.tif 000014
【図１３】
2015028615.tif 000015